(57)【要約】【課題】  病人や乳幼児の鼻や耳を掃除する場合に、鼻孔や耳孔内の固形物を掻き出しやすく工夫された綿棒を提供する。【解決手段】  綿棒の頭部の、脱脂綿が巻きつけてある部分が、さじ形状を有する綿棒。【選択図】  図１
2006167395.tif 000002
【特許請求の範囲】
【請求項１】
綿棒の頭部の、脱脂綿が巻きつけてある部分が、さじ形状を有する綿棒。
【発明の詳細な説明】
【技術分野】
【０００１】  本発明は病人、または乳幼児の鼻や耳を掃除する場合に、鼻孔や耳孔内の固形物を掻き出しやすく工夫された綿棒に関するものである。
【背景技術】
【０００２】  従来、鼻孔や耳孔内を綿棒で掃除する場合には、通常、細い棒の先端に脱脂綿を丸く巻きつけられただけの綿棒を使用していた。または、脱脂綿が巻きつけられた頭部に溝を入れて凹凸部分が設けられた綿棒を使用していた。
【発明の開示】
【発明が解決しようとする課題】
【０００３】  そのために、次のような問題点があった。【０００４】  従来の、先端に脱脂綿が丸く巻きつけられただけの綿棒は、頭部先端が丸く、引っかかりがないために、鼻孔や耳孔内の固形物をうまく掻き出すことが出来なかった。特に、鼻孔や耳孔内の側面に固く張りついたタイプの固形物は、従来の綿棒ではその表面をなでるだけで、剥がし取りながら掻き出すということは難しかった。【０００５】  そのために、掻き出すまでに時間がかかったり、何回もやり直したりするため、鼻孔や耳孔内を傷つけることもあった。特に、乳幼児は鼻孔内がデリケートな為に、傷つけやすく、時には血がにじむこともあった。また、うまく固形物を捕らえることことが出来ても、掻き出す時に鼻孔内の側面に押し付けるようにしながら引っ張り出さなければならず、それによって鼻孔内を傷つけることもあった。【０００６】  更に、固形物を掻き出すどころか、間違って奥に押し込んでしまうこともよくあり、不快感を持続させてしまったりした。乳児の場合は鼻が詰まるとミルクや母乳の飲みが悪くなり、可哀想でさえあった。【０００７】  その他、脱脂綿が巻きつけられた頭部に溝を入れて凹凸部分が設けられた綿棒を使用しても、このタイプの綿棒は軸を回転させながら固形物をまとわりつかせねばならず、多少の器用さが要求され、簡単に掻き出せるとは言えなかった。そのうえ、やはりこのタイプも鼻孔内や耳孔内の側面に固く張り付いた固形物を剥がし取りながら掻き出すには向いていなかった。（頭部の先端が丸いため、引っかかりがない。）【０００８】  本発明は以上の問題点を解決しようとするものである。
【課題を解決するための手段】
【０００９】  綿棒の頭部の、脱脂綿が巻きつけてある部分が、さじ形状を有する綿棒。
以上を特徴とする綿棒である。
【発明の効果】
【００１０】  本発明は、綿棒の頭部先端が丸くなく、引っ掛かり部分があるために、鼻孔や耳孔内の固形物を引っ掛けながら、あるいは鼻孔や耳孔内の側面から剥がし取りながら簡単に掻き出すことが出来る。また、固形物が綿棒の頭部に引っ掛かったら、まっすぐに引きぬくように掻き出すだけで良く、手先の器用さなどを必要としない。乾いた固形物、湿り気を帯びた固形物ともに良く掻き出せる。【００１１】  そのため、鼻孔や耳孔内を掃除するのに、従来の綿棒を使用した場合と比較して、より確実にスムーズに固形物を掻き出せるので、結局は鼻孔や耳孔内を傷つけることが少ない。もちろん、耳孔内を耳掻きを使用して掃除する場合と比べると、よりソフトな感触で掃除することが出来る。【００１２】  特に、乳幼児のデリケートな鼻孔内の掃除では効果を発揮する。１歳児（離乳が完了していない幼児）に従来の綿棒と本発明の綿棒を比較した結果を次にまとめてみた。【００１３】  「１歳児の鼻孔内の掃除における実験その１及びその２」の実験方法についての説明
実験その１では、まず従来の綿棒を使用し鼻孔内の掃除を行い、それで固形物が掻き出せなかった場合は、本発明の綿棒に替えて掃除を行う。結果は表１に表す。
実験その２では、まず本発明の綿棒を使用し鼻孔内の掃除を行い、それで固形物が掻き出せなかった場合は、従来の綿棒に替えて掃除を行う。結果は表２に表す。
実験その１、実験その２ともに鼻孔内への綿棒の挿入回数は３回まで。一回の挿入における時間は５秒までとする。それで掻き出せなかった場合は×を表示している。また、掻き出せた場合は○を表示し、その中に何回目の挿入で掻き出せたかの回数を表示している。（乳幼児は鼻孔内の掃除をいやがる傾向にあるため、出来るだけ少ない挿入回数、及び短い時間で固形物を掻き出すことが重要である。）さらに固形物については、タイプ別に乾いたタイプと湿ったタイプの２つに分け、付着位置も入り口付近と、中ほど、奥の３つに分けて比較した。
実験その１、実験その２ともに実験を行う者（３６歳  女）と実験をされる者（１歳  女）は同一である。【００１４】
【表１】
2006167395.tif 000003
【００１５】
【表２】
2006167395.tif 000004
【００１６】  「１歳児の鼻孔内の掃除における実験その３及びその４」についての実験方法の説明
上記の実験その１、実験その２を時期をおいてもう一度行う。
実験その３では、実験その１と同様に行う。結果は表３に表す。
実験その４では、実験その２と同様に行う。結果は表４に表す。
実験その３、実験その４ともに実験を行う者（３６歳  女）と実験をされる者（１歳  女）は同一であり、もちろん実験その１、実験その２とも同一である。【００１７】
【表３】
2006167395.tif 000005
【００１８】
【表４】
2006167395.tif 000006
【００１９】  上記の実験その１、その２、その３、その４について、実験データを収集するためには鼻孔内の固形物を発見するごとに、そのタイプ、付着位置を確認し、そのうえで実験を行い該当する欄に結果を記入していった。そのために、１つの表がいちどきに完成するわけではなく、鼻孔内の固形物の発生を待ちながらの完成となっている。
また、出来るだけ常に同条件で実験できるように、幼児は必ず仰向けに寝かせた状態で掃除を行い、特別に機嫌の悪い時などは実験を行わないよう配慮した。【００２０】  上記の実験その１、その２、その３、その４の結果より言えることは、
▲１▼  従来の綿棒で固形物が掻き出せなかった場合、本発明の綿棒に替えると取り出せるケースが多い。
▲２▼  本発明の綿棒で掻き出せなかった固形物は、従来の綿棒に替えても全く取り出せなかった。
▲３▼  同一タイプで同位置の固形物について比較すると、従来の綿棒より、本発明の綿棒の方が少ない挿入回数で固形物を掻き出せているケースが多い。
以上より、本発明の綿棒は乳幼児の鼻孔内の掃除において、明らかに従来の綿棒より優れていることがわかる。
【発明を実施するための最良の形態】
【００２１】以下、本発明の実施の形態を説明する。
（イ）細い棒で出来た綿棒の軸の少なくとも一方の先端部をやや平らにしたうえ屈曲させ、その中央部に凹み部分（１）を設け、先端部がさじ形状を有する軸（２）を形成する。
（ロ）その先端部に脱脂綿（３）を巻きつける。
（ハ）更に、中央部の凹み部分（１）を圧縮し、凹み部分（１）を際立たせ、さじ形状を有する頭部（４）を形成する。
（ニ）上記のように綿棒を形成することでおのずと頭部先端に引っ掛かり部分（５）が出来る。【００２２】  以上、本発明の構成を説明したが、その変形例として、中央部の凹み部分をなくしても良い。さじ形状とは、中央部に凹みがあるなしを問わない。（例えば、ヘラを屈曲させた形状もさじ形状に含まれる。）【００２３】  本発明の使用方法
本発明を使用するときは、固形物を綿棒の頭部先端の引っ掛かり部分で引っ掛けながら、まっすぐ引きぬきながら掻き出すように使用する。鼻孔内の掃除に使うときは、鏡を使用して固形物を確認しながらすると更に良い。病人や乳幼児の鼻孔や耳孔内に使用するときは、寝かせた状態で、やはり固形物を確認しながら掃除を行う。
【図面の簡単な説明】
【００２４】
【図１】  本発明の斜視図
【図２】  本発明の側面図
【図３】  本発明の軸の部分の斜視図
【符号の説明】
【００２５】    １  凹み部分
２  先端部がさじ形状を有する軸
３  脱脂綿
４  さじ形状を有する頭部
５  引っ掛かり部分
【図１】
2006167395.tif 000007
【図２】
2006167395.tif 000008
【図３】
2006167395.tif 000009